(57)【要約】【課題】  光源の発光光量を精度良く検出する【解決手段】  光源で発生した光で被検眼を照明する光学系と、前記光源で発生した光を反射する反射面と透過部とを備えた第１反射部と、前記透過部を介して前記光源で発生した光の光量を検出する光量検出部と、を備え、前記第１反射部は前記光源で発生した光が前記被検眼へ向かう方向とは反対の方向に備えられる。【選択図】  図１
2013048896.tif 000002
【特許請求の範囲】
【請求項１】
光源で発生した光で被検眼を照明する光学系と、
前記光源で発生した光を反射する反射面と透過部とを備えた第１反射部と、
前記透過部を介して前記光源で発生した光の光量を検出する光量検出部と、
を備え、
前記第１反射部は前記光源で発生した光が前記被検眼へ向かう方向とは反対の方向に備えられたことを特徴とする眼科装置。
【請求項２】
前記反射面は前記光源で発生した光が前記被検眼へ向かう方向へ向けて備えられたことを特徴とする請求項１記載の眼科装置。
【請求項３】
前記光量検出部は、前記光源で発生した光が前記被検眼へ向かう方向とは反対の方向に備えられ、
前記第１反射部は、前記光量検出部と前記光源との間に備えられることを特徴とする請求項２記載の眼科装置。
【請求項４】
前記透過部は、前記光学系の光軸上に配置されていることを特徴とする請求項１〜３のいずれか１項に記載の眼科装置。
【請求項５】
前記光量検出部は、前記光学系の光軸上に配置されたことを特徴とする請求項４記載の眼科装置。
【請求項６】
前記被検眼の前眼部と略共役な位置に配置されるとともに、前記光源で生成された光の一部を反射する第２反射部を前記光学系の光軸上に有するリングスリットを更に備え、
前記光量検出部は、前記第２反射部によって反射され、かつ、前記透過部を透過した光の光量を検出することを特徴とする請求項１〜５のいずれか１項に記載の眼科装置。
【請求項７】
前記光源から前記光量検出部へ直接向かう光の前記光量検出部への入射を制限する第１制限部を更に備えることを特徴とする請求項６記載の眼科装置。
【請求項８】
前記第１制限部は前記光源の発光部位と前記光量検出部とを結ぶ直線上に配置されたことを特徴とする請求項７記載の眼科装置。
【請求項９】
前記第１制限部は光が通過可能な第１開口部を備え、
前記第１開口部は前記光軸上に配置されたことを特徴とする請求項８記載の眼科装置。
【請求項１０】
前記第１開口部を通過した光のうち少なくとも前記第２反射部に反射された光以外の光の前記光量検出部への入射を制限するとともに前記光軸上に光が通過可能な第２開口部を有する第２制限部（１２２）を更に備えたことを特徴とする請求項９記載の眼科装置。
【請求項１１】
前記透過部は、前記第１反射部の外周に向かって放射状に備えられることを特徴とする請求項１〜１０のいずれか１項に記載の眼科装置。
【請求項１２】
前記光量検出部によって検出された光量に応じて、前記光源の発光を制御する発光制御部を更に備えたことを特徴とする請求項１〜１１のいずれか１項に記載の眼科装置。
【請求項１３】
前記光源は、キセノン管であることを特徴とする請求項１〜１２のいずれか１項に記載の眼科装置。
【請求項１４】
前記光源とは、ＬＥＤであることを特徴とする請求項１〜１２のいずれか１項に記載の眼科装置。
【請求項１５】
前記第１反射部は、平面ミラーであることを特徴とする請求項１〜１４のいずれか１項に記載の眼科装置。
【発明の詳細な説明】
【技術分野】
【０００１】
本発明は眼科装置に関する。
【背景技術】
【０００２】
特許文献１には、照明光学系の光源部として、眼底側から順にコンデンサレンズ、ストロボ照明光源、コンデンサレンズ、連続照明光源、リフレクタを配置する構成が開示されている。さらに、特許文献１には連続照明光源からの発光光のうち眼底と反対側に射出される光束はリフレクタによって反射され眼底方向へ向かう構成が開示されている。また、リフレクタの形状は凹面となっており、連続照明光源から眼底と反対側に射出された光束を集光して投影している。
【０００３】
ここで、眼底部を撮影するにあたり、眼底部の明るさは被検者ごとに異なり、また、光源も個体差があるので、撮影像の明るさはバラつきが生じてしまう。このバラつきを解消するためには、事前に眼底部の明るさを検出し、その明るさに応じて発光光量を調整する必要がある。そして、発光光量を調整するためには発光光量を検出する必要がある。また、光源は被検眼照明するために最適化されているため、光源の光軸付近の光は光軸付近以外の光に比べて安定している。従って、発光光量を検出する検出手段は、検出精度を高めるために照明光軸上に配置することが望ましい。
【先行技術文献】
【特許文献】
【０００４】
【特許文献１】特開２００３−７０７４６号公報
【発明の概要】
【発明が解決しようとする課題】
【０００５】
しかしながら特許文献１の構成によれば、ストロボ照明光源の眼底側は照明光路となり、反眼底側は連続照明光源やリフレクタが配置されており、検出手段をストロボ照明光源の光軸上に配置することが困難であった。従って、特許文献１の構成は検出精度の向上の障害となっていた。
本件の目的の一つは、光源の発光光量を精度良く検出することである。
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【０００６】
上記課題を解決するため本眼科装置は、光源で発生した光で被検眼を照明する光学系と、前記光源で発生した光を反射する反射面と透過部とを備えた第１反射部と、前記透過部を介して前記光源で発生した光の光量を検出する光量検出部と、を備え、前記第１反射部は前記光源で発生した光が前記被検眼へ向かう方向とは反対の方向に備えられたことを特徴とする。
【発明の効果】
【０００７】
本発明によれば、光量検出精度を向上することができる。
【図面の簡単な説明】
【０００８】
【図１】本眼科装置の構成の一例を模式的に示す図である。
【図２】本眼科装置の電気的な接続関係の一例を模式的に示す図である。
【図３】本眼科装置が備える電源の一例を模式的に示す図である。
【図４】本眼科装置の動作の一例を説明するためのフローチャートである。
【図５】本眼科装置が備えるミラーの一例を模式的に示す図である。
【図６】本眼科装置の構成の一例を模式的に示す図である。
【図７】本眼科装置が備えるリングスリットの一例を模式的に示す図である。
【図８】本眼科装置の光源部の構成の一例を模式的に示す図である。
【図９】本眼科装置の光源部の構成の一例の断面を模式的に示す図である。
【図１０】本眼科装置の光源部の構成の一例における光の挙動を模式的に示す図である。
【図１１】本眼科装置の光源部の構成の一例の断面を模式的に示す図である。
【図１２】本眼科装置の光源部の構成の一例における光の挙動を模式的に示す図である。
【図１３】（ａ）（ｂ）本眼科装置の開口部の構成の一例を模式的に示す図である。
【図１４】本眼科装置の光源部の構成の一例の断面を模式的に示す図である。
【図１５】本眼科装置の光源部の構成の一例における光の挙動を模式的に示す図である。
【図１６】本眼科装置の光源部の構成の一例の断面を模式的に示す図である。
【図１７】本眼科装置の光源部の構成の一例における光の挙動を模式的に示す図である。
【図１８】本眼科装置の構成の一例を模式的に示す図である。
【図１９】本眼科装置の光源部の構成の一例を模式的に示す図である。
【図２０】本眼科装置の光源部の構成の一例における光の挙動を模式的に示す図である。
【図２１】本眼科装置の光源部の構成の一例を模式的に示す図である。
【図２２】本眼科装置の光源部の構成の一例における光の挙動を模式的に示す図である。
【図２３】本眼科装置の構成の一例を模式的に示す図である。
【図２４】本眼科装置の光源部の構成の一例を模式的に示す図である。
【図２５】本眼科装置の光源部の構成の一例における光の挙動を模式的に示す図である。
【図２６】本眼科装置の構成の一例を模式的に示す図である。
【図２７】本眼科装置が備える撮影光源部および観察光源部の詳細な構成の一例を示す図である。
【図２８】本眼科装置の光源部の構成の一例における光の挙動を模式的に示す図である。
【図２９】本眼科装置の構成の一例を模式的に示す図である。
【図３０】本眼科装置が備える撮影光源部および観察光源部の詳細な構成の一例を示す図である。
【図３１】本眼科装置の光源部の構成の一例における光の挙動を模式的に示す図である。
【発明を実施するための形態】
【０００９】
本発明の第１実施形態を適応した眼底カメラの詳細を図面を参照しながら説明する。
【００１０】
図１は本眼科装置の構成を模式的に示す図である。図２は眼科装置の電気的な接続関係の一例を模式的に示す図である。図１に示す眼底カメラ（眼科装置）は、大まかに分けて撮影光源部Ｏ１、観察光源部Ｏ２、照明光学系Ｏ３、撮影／照明光学系Ｏ４、撮影光学系Ｏ５、内部固視灯部Ｏ６を備えている。
【００１１】
撮影光源部Ｏ１または観察光源部Ｏ２から射出された光束は照明光学系Ｏ３、撮影／照明光学系Ｏ４を経て被検者眼底部を照明し、その像は撮影／照明光学系Ｏ４、撮影光学系Ｏ５を経て撮像素子に結像される。すなわち、撮影光源部Ｏ１，照明光学系Ｏ３および撮影／照明光学系Ｏ４は光源で発生した光で被検眼を照明する光学系の一例に相当する。また、観察光源部Ｏ２，撮影／照明光学系Ｏ４および撮影光学系Ｏ５は光源で発生した光で被検眼を照明する光学系の一例に相当する。
【００１２】
撮影光源部Ｏ１は以下の構成を備えることにより白色光のリング照明を作り出す。１１は光量検出手段でありＳＰＤ（Ｓｉｌｉｃｏｎ  Ｐｈｏｔｏ  Ｄｉｏｄｅ）やＰＤ  （Ｐｈｏｔｏ  Ｄｉｏｄｅ）など既知の光電変換を利用したセンサである。さらに１１は、ＰＤ等のセンサの出力を積分することで光量を算出する積分回路等を含む。
【００１３】
１２はミラーであり、ガラス板にアルミや銀の蒸着を施したものやアルミ板などで構成される。例えば、このミラー１２は加工限度範囲内での平面とすることで撮影光源の均一化が実現される。すなわち、ミラー１２は平面ミラーである。ここで、平面とは加工誤差を含む概念であり完全に平面であるもののみを指すものではない。ミラー１２は、例えば撮影光源１３から被検眼２８へ向かう方向とは反対の方向に配置される。なお、ミラー１２の詳細については図５を用いて後述する。
【００１４】
１３は撮影光源であり、例えばガラス管の中にＸｅ（キセノン）を封入し電圧を印加することで発光し、撮影時に眼底像を記録するために十分な強度の白色光を得ることが可能となっている。また、近年ではＬＥＤ（Ｌｉｇｈｔ  ＥｍｉｔｔｉｎｇＤｉｏｄｅ）の光量アップが顕著であり、環状に配置したＬＥＤアレイでも撮影光源１３を実現可能である。図３は撮影光源１３の一例を模式的に示す図である。図３に図示するように撮影光源１３の発光部は環状であり、撮影光源１３は放射状に発光する環状発光部１３ａを備える。
【００１５】
１４は撮影コンデンサレンズであり、一般的な球面レンズである。１５は撮影リングスリットであり環状の開口を持った平板である。例えばリングスリット１５は被検眼２８の前眼部と略共役な位置に配置される。１６は撮影水晶体バッフルであり、これも環状の開口を持った平板である。
【００１６】
ここで、例えばＸｅ管（キセノン管）である撮影光源１３から射出された光束は眼底方向に向かう光束に加え、眼底方向とは反対側に射出された光束がミラー１２によって反射され眼底方向に向かう光束となる。すなわち、被検眼２８には撮影光源１３から射出された光束とミラー１２により反射された光束とが入射することとなり、被検眼２８に入射する光量はミラー１２がない場合に比べて増加する。
【００１７】
このために、撮影光源１３の発光光量はミラー１２がないものに比べて少なくて済む。また、ミラー１２は平面としており、光のムラを生じさせないとともに、撮影光源１３に対する距離的制約もない。
【００１８】
撮影光源１３から射出された光束およびミラー１２により被検眼方向に反射された光束は撮影コンデンサレンズ１４によって眼底に向けて集光され、撮影リングスリット１５によって前眼部を通過する際の光束形状が環状となるよう成形される。さらに撮影水晶体バッフル１６によって、被検眼２８の水晶体へ投影される光束を制限し、眼底像に不要な被検眼２８の水晶体からの反射光が写りこむことを防いでいる。
【００１９】
観察光源部Ｏ２は以下の構成を備えることにより赤外光のリング照明を作り出す。１７は観察光源であり、ハロゲンランプやＬＥＤなど連続発光可能な光源であり素子の特性や図示しないフィルタを介することによって赤外光を発する。１８は観察コンデンサレンズであり、一般的な球面レンズである。１９は観察リングスリットであり環状の開口を持った平板である。２０は観察水晶体バッフルであり、これも環状の開口を持った平板である。
【００２０】
観察光源部Ｏ２は撮影光源部Ｏ１と光源の種類が異なるだけであり、観察コンデンサレンズ１８で集光し、観察リングスリット１９で前眼部での光束の形状を整え、観察水晶体バッフル２０で眼底像への水晶体からの反射光の写りこみを防いでいる。
【００２１】
次に、照明光学系Ｏ３は以下の構成を備えることにより撮影光源部Ｏ１、観察光源部Ｏ２で作られた光束をリレーするとともに、眼底像の焦点合わせのための指標像を生成する。２１はダイクロイックミラーであり、赤外光を透過、可視光を反射する。撮影光源部Ｏ１で作られた可視光による光束はダイクロイックミラー２１により反射される一方、観察光源部Ｏ２で作られた赤外光による光束は透過され照明光学系Ｏ３に導光される。２２，２４はそれぞれ照明リレーレンズであり、これらによってリング照明は被検眼２８に結像される。
【００２２】
２３はスプリットユニットであり、フォーカス指標を投影するためのフォーカス指標光源２３ａと、光源を分割するためのプリズム２３ｂと、フォーカス指標の外形を示すフォーカス指標マスク２３ｃとを備える。またスプリットユニット２３はフォーカス指標光源２３ａ，プリズム２３ｂおよびフォーカス指標マスク２３ｃを観察時に照明光学系Ｏ３に進入し図中矢印方向（光軸方向）に移動することでフォーカス指標を光軸方向にシフト移動させる移動機構を備える。さらに、スプリットユニット２３は撮影時に照明光学系Ｏ３から退避させる進退機構を備えて構成されている。
【００２３】
Ｍ１はスプリットシフト駆動モータ、Ｓ１はスプリット位置センサである。スプリットシフト駆動モータＭ１はスプリットユニット２３を図中矢印方向にシフト駆動してフォーカス指標の焦点を合わせ、スプリット位置センサＳ１はその停止位置を検出する。
【００２４】
またＭ２はスプリットユニット１８を照明光学系Ｏ３に対して進退させるためのスプリット進退駆動モータであり、眼底観察時には照明光学系Ｏ３内に進入させ、観察像の中にスプリット指標を投影させる。一方、スプリット進退駆動モータＭ２は撮影時には照明光学系Ｏ３からスプリットユニット２３を退避させ、撮影像の中にフォーカス指標が写りこむことが無いように制御する。２５は角膜バッフルであり、眼底像に不要な被検眼２８の角膜からの反射光の写りこみを防ぐ。
【００２５】
撮影／観察光学系Ｏ４は以下の構成を備えることにより被検眼２８の眼底に対して照明光束を投影するとともに、被検眼２８の眼底像を得る。２６は穴あきミラーであり、外周部がミラー、中央部が穴となっている。照明光学系Ｏ３から導かれた光束は穴あきミラー２６のミラー部分で反射して、対物レンズ２７を介して被検眼２８の眼底を照明する。眼底からの反射光は対物レンズ２７を戻り、穴あきミラー２６の中央部の穴をとおって撮影光学系Ｏ４に導かれる。
【００２６】
撮影光学系Ｏ４は以下の構成をそなえることで、被検眼眼底像の焦点調節を行ったうえで被検眼眼底像を撮像素子に結像する。２９はフォーカスレンズであり穴明きミラー２６の中央の穴を通過した撮影光束の焦点調節を行うためのレンズであり、図中矢印方向（光軸方向）に移動することで焦点調節を行う。Ｍ３はフォーカスレンズ駆動モータ、Ｓ３はフォーカスレンズ位置センサである。フォーカスレンズ駆動モータＭ３はフォーカスレンズ２９を駆動して焦点を合わせ、フォーカスレンズ位置センサＳ３はフォーカスレンズ２９の停止位置を検出する。３１は撮像素子であり、撮影光を光電変換する。撮像素子３１で得られた電気信号は、デジタルデータとすべく不図示の処理回路によってＡ−Ｄ変換される。また、例えば赤外観察時には不図示の表示器に表示され、撮影後には不図示の記録媒体に記録される。
【００２７】
内部固視灯部Ｏ６はハーフミラー３０によって撮影光学系Ｏ４から光路が分割され、その光路に対して対向した内部固視灯ユニット３２を備える。内部固視灯ユニット３２は例えば複数のＬＥＤによって構成され、後述する固視灯位置指定部材６６によって検者が選択した固視部に対応した位置のＬＥＤを点灯させる。被検者が点灯したＬＥＤを固視することで、検者は所望の向きの眼底像を得ることができる。
【００２８】
焦点操作部材３３は、検者により操作可能な部材であり、検者が操作したときに、焦点操作部材３３の停止位置を焦点操作部材位置センサＳ４によって検出可能となっている。
【００２９】
図２は本眼科装置の電気的な接続関係の一例を模式的に示す図である。この眼底カメラはＣＰＵ（Ｃｅｎｔｒａｌ  Ｐｒｏｃｅｓｓｉｎｇ  Ｕｎｉｔ）６１によって以下の全ての動作が制御されている。なお、ＣＰＵ６１に代えて他の処理手段を用いてもよい。例えば、ＣＰＵの代わりにＦＰＧＡ（Ｆｉｅｌｄ  ｐｒｏｇｒａｍｍａｂｌｅ  Ｇａｔｅ  Ａｒｒａｙ）等の処理手段を用いることとしても良い。撮影光源制御回路６２は撮影前に撮影光源１３を発光するためのエネルギーを図示しないコンデンサ等に充電する。光量検出手段１１は、撮影光源１３が発光する発光光量を検知しており、例えば撮影光源１３の発光光量がＣＰＵ６１で制限される発光量に到達するとＣＰＵ６１に発光停止を指示し、撮影光源制御回路６２を介して撮影光源１３の発光が停止する。また撮影光源制御回路６２は、撮影時に充電した電気エネルギーを放電することで撮影光源１３を発光させる。
【００３０】
Ｍ１駆動回路６３は焦点操作部材位置センサＳ４の出力に対応した位置にスプリットユニット２３が移動するようにスプリットシフト駆動モータＭ１を駆動する。Ｍ２駆動回路６４は撮影前後にスプリットユニット２３が照明光学系Ｏ３に対して進退するようスプリット進退駆動モータＭ２を駆動する。Ｍ３駆動回路６５はＭ２駆動回路６４と同様、焦点操作部材位置センサＳ４の出力に対応した位置にフォーカスレンズ２９が移動するようにフォーカスレンズ駆動モータＭ３を駆動する。電源スイッチ６７は眼底カメラの電源状態を選択するスイッチ、撮影スイッチ６８は眼底カメラで撮影を実行するためのスイッチである。
【００３１】
図４は本眼科装置の動作の一例を説明するためのフローチャートである。具体的には、図４はフォーカス調整に関する動作の一例を主に示したフローチャートである。
【００３２】
ステップＳ００において電源スイッチ６７により電源ＯＮとなると本シーケンスが開始される。ステップＳ０１ではＣＰＵ６１が撮影スイッチ６８がＯＮとなっているかを確認し、ＯＮされていればステップＳ１３に進み、ＯＮされていなければステップＳ０２に進む。
【００３３】
ステップＳ０２ではＣＰＵ６１が焦点操作部材位置センサＳ４の出力を読み込む。
【００３４】
ステップＳ０３ではＣＰＵ６１がスプリット位置センサＳ１の出力を読み込む。なお、ステップＳ０２，Ｓ０３の実行される順序は逆であってもよい。  次に、ステップＳ０４ではＣＰＵ６１が焦点操作部材位置センサＳ４の出力に対して、スプリット位置センサＳ１の出力が対応した位置にあるか否かを確認。対応位置にあればステップＳ０８に、なければステップＳ０５に進む。
【００３５】
ステップＳ０５ではスプリットユニット２３が焦点操作部材位置センサＳ４に対応した位置に移動するよう、Ｍ１駆動回路６３によってスプリットシフト駆動モータＭ１を駆動する。
【００３６】
ステップＳ０６ではＣＰＵ６１がスプリット位置センサＳ１を読み込み、ステップＳ０５にて移動したスプリットユニット２３が焦点操作部材位置センサＳ４に対応した位置に移動したかを確認する。そして、移動が完了していなければステップＳ０５に戻り、完了していればステップＳ０７に進む。
【００３７】
ステップＳ０７ではＭ１駆動回路６３によってスプリットシフト駆動モータＭ１を停止させてステップＳ０８に進む。
【００３８】
ステップＳ０８ではＣＰＵ６１がフォーカスレンズ位置センサＳ３の出力を読み込む。
【００３９】
ステップＳ０９ではＣＰＵ６１が焦点操作部材位置センサＳ４の出力に対して、フォーカスレンズ位置センサＳ３の出力が対応した位置にあるか否かを確認する。対応位置にあればステップＳ０１に、なければステップＳ１０に進む。
【００４０】
ステップＳ１０ではフォーカスレンズ２９が焦点操作部材位置センサＳ４に対応した位置に移動するよう、Ｍ３駆動回路６５によってフォーカスレンズ駆動モータＭ３を駆動する。
【００４１】
ステップＳ１１ではＣＰＵ６１がフォーカスレンズ位置センサＳ３を読み込み、ステップＳ１０にて移動したフォーカスレンズ２９が焦点操作部材位置センサＳ４に対応した位置に移動したかを確認し、移動が完了していなければステップＳ１０に戻る。一方、移動が完了していればステップＳ１２に進む。
【００４２】
ステップＳ１２ではＭ３駆動回路６５によってＭ３駆動回路６３を停止させてステップＳ０１に進む。
【００４３】
ステップＳ１３では撮影スイッチ６８がＯＮされたので、まずはＣＰＵ６１がスプリットＬＥＤ２３ａを消灯する。
【００４４】
ステップＳ１４ではＣＰＵ６１が観察光源１７を消灯する。
【００４５】
ステップＳ１５ではＭ２駆動回路６４によってスプリット進退駆動モータＭ２を駆動して、スプリットユニット２３を照明光学系Ｏ３から退避させる。
【００４６】
ステップＳ１６では撮像素子３１にて眼底像の読み出しを開始する。
【００４７】
ステップＳ１７では撮影光源制御回路６２によって撮影光源１３を点灯する。
【００４８】
ステップＳ１８では、光量検出手段１１は自身が備えるＰＤ等のセンサからの出力を積分することで撮影光源１３の発光量を算出する。
【００４９】
ステップＳ１９ではＣＰＵ６１が、撮影光源１３が発光した光量が眼底撮影に適した所定の値に達したか否かを確認する。ステップＳ１８にて算出された光量が所定の値に達していなければ発光を継続しつつ、ステップＳ１８に戻る。一方、ステップＳ１８にて算出された光量が所定の値に達したらステップＳ２０に進む。
【００５０】
ステップＳ２０では撮影光源制御回路６２によって撮影光源１３を消灯する。例えば、撮影光源制御回路６２は撮影光源３への電流の供給を停止さることで撮影光源１３の発光を停止させる。すなわち、撮影光源制御回路６２は、光量検出部によって検出された光量に応じて光源の発光を制御する発光制御部の一例に相当する。
【００５１】
次に、ステップＳ２１ではＣＰＵ６１が露光時間Ｔが所定の露光時間に達しているか否かを確認する。所定の露光時間に達していなければ再度ステップＳ２１へ、達していればステップＳ２２に進む。
【００５２】
ステップＳ２２では撮像素子３１からの読み出しを完了する。詳細の説明は割愛するが、撮像素子３１は光電変換により画像情報を電気信号として出力し、出力された電気信号はＡＤ変換などの電気処理を行ったのち電子データとして保存される。
【００５３】
ステップＳ２３ではＭ１駆動回路６３にてスプリットシフト駆動モータＭ１を駆動して、スプリットユニット２３を照明光学系Ｏ３内に戻す。ステップＳ２４ではＣＰＵ６１が観察光源１７を点灯する。
【００５４】
ステップＳ１９ではＣＰＵ６１がスプリットＬＥＤ２３ａを点灯し、再度撮影準備状態に戻って一連のフローを完了する。
【００５５】
図５は本眼科装置が備えるミラー１２の一例を模式的に示す図である。
【００５６】
図５に示すミラー１２は、ガラスにアルミ蒸着した場合の反射面側から見た平面図である。１２ａ、１２ｂはアルミが蒸着された反射部であり、撮影光源１３から被検眼２８とは反対の方向に射出された光束を被検眼方向に反射する。
【００５７】
なお、本実施形態では反射部を形成すべくガラスにアルミを蒸着させたが、これに限定されるものではなく光を反射するものであれば蒸着させる物質はアルミに限定されるものではない。
【００５８】
次に、１２ｃは撮影光源１３からの光を光量検出手段１１に導くための透過部である。透過部１２ｃは、撮影光源１３からの光を透過する。すなわち、ミラー１２は、光源で発生した光を反射する反射面と透過部とを備えた第１反射部の一例に相当する。ここで、反射部１２ａ，１２ｂは反射面の一例に相当する。また、第１反射部は光源で発生した光が被検眼へ向かう方向とは反対の方向に備えられる。具体的には、反射面は光源で発生した光が被検眼へ向かう方向へ向けて備えられる。光量検出手段１１は透過部を介して光源で発生した光の光量を検出する光量検出部の一例に相当する。光量検出部は光源で発生した光が被検眼へ向かう方向とは反対の方向に設けられる。すなわち、第１反射部は、光量検出部と光源との間に備えられる。
【００５９】
例えば、光量検出手段１１は精度良く撮影光源１３の発光光量を検出するために光源で発生した光で被検眼２８を照明する光学系の光軸上（撮影光源１３の光軸上）に配置される。この場合、光量検出手段１１に光を導くため透過部１２ｃも撮影光源１３の光軸上に配置される。
【００６０】
なお、ミラー１２の例えば中心部に透過部１２ｃを設けるためには、アルミを蒸着する際にマスクしてアルミが蒸着されないようにする必要がある。マスクは部品毎にマスク部品を取り付けることも可能であるが、作業が煩雑であり、またその位置精度も悪くなってしまう。
【００６１】
従って多くの部品にまとめてマスクを掛けられるように、全てのマスクが繋がっていることが望ましい。そのためにマスクは透過部１２ｃから外周に向かって放射状の繋ぎが必要となり、ミラー１２には繋ぎ透過部１２ｄおよび１２ｅができる。透過部１２ｄ、１２ｅは、反射部（ミラー１２）の外周に向かって放射状に備えられる。この透過部は光学部品としては必要ないのだが、上記作業の煩雑さ等を回避するためには自ずとできてしまうものである。但し、ミラー１２としての機能に悪影響を及ぼすものではないことが実験的に確認されている。すなわち、図４ではミラー１２には透過部１２ｄおよび１２ｅが設けられているが、ミラー１２に透過部１２ｄおよび１２ｅを設けず透過部１２ｃのみを設けることとしてもよい。ここで、ミラー１２が備える反射部１２ａ，１２ｂは撮影光源１３から射出され光量検出手段１１へ直接向かう光束の光量検出手段１１への入射を制限している（後述する図８参照）。
【００６２】
なお、図５に示すミラー１２および透過部１２ｃの形状は円形であるがこれに限定されるものではなく、種々変形することが可能である。
【００６３】
また上記実施例では光量検出手段１１は撮影光源１３の光軸上に備えられることとしたが、これに限定されるものではなく、光量検出手段１１は完全に光軸上にそなえられなくてもよい。例えば、光軸近傍に光量検出手段１１が位置することとしても光軸近傍の安定した光を受光して光量を検出することができる。なお、この場合、透過部１２ｃも光軸近傍に配置される。
【００６４】
また、ミラー１２および光量検出手段１１は撮影光源１３の撮影光源１３から被検眼２８へ向かう方向とは反対の方向に配置されることとしたが、これに限定されるものではない。例えば、ミラー１２および光量検出手段１１を観察光源１７から被検眼２８へ向かう方向とは反対の方向に配置することとしてもよい。この場合、光量検出手段１１は観察光源１７が射出する光量を検出することとなる。
【００６５】
また、光量検出手段１１は望ましくは撮影光源１３の光軸上に配置されることとしたがこれに限定されるものではない。例えば、透過部１２ｃを撮影光源１３の光軸上に配置し透過部１２ｃを透過した光を光量検出手段に導くミラー等を備えることとすれば光軸からズレた位置に光量検出手段１１を設けてもよい。このようにしても、撮影光源１３の光軸付近の安定した光を光量検出手段１１に導くことができる。
【００６６】
このように本眼科装置によれば、撮影光源１３から被検眼２８へ向かう方向とは反対の方向に透過部１２ｃを有するミラー１２を備え、透過部１２ｃを透過した光を光量検出手段１１で検出しているため光量検出手段１１を所望の位置に配置することができる。このため、光源の発光光量を精度良く検出することが可能となる。より具体的には、透過部１２ｃおよび光量検出手段１１を撮影光源１３の光軸上に配置することで、より撮影光源１３の発光光量を精度良く検出することができる。
【００６７】
また、上記の効果に加えて、ミラー１２の反射部１２ａ，１２ｂにより撮影光源１３から射出された光のうち被検眼方向に向かわない光を被検眼方向に向けることができるため撮影光源１３で発生した光を有効に利用することができる。
【００６８】
さらに、ミラー１２は反射部１２ａ，１２ｂおよび透過部１２ｃを備えているため、１の部材を用いて発光光量を精度良く検出するという効果および撮影光源１３の生成した光を有効利用するという効果に寄与するため、装置の大型化を防ぐことができる。
【００６９】
また、透過部１２ｃを作成する際にミラー１２毎に１の独立したマスクを用いるのではなく、複数のミラー１２に１度に用いることができる上記１のマスクが繋げられた状態のマスクを用いることで作業が煩雑になること、および、マスクの位置精度の悪化を回避している。
【００７０】
次に第２実施形態に係る眼科装置を、図６〜１０を参照しながら説明する。第１実施形態において撮影光源１３からの射出された光は透過部１２ｃを介して光量検出手段１１に入射しているが、撮影光源１３の発光光量が強い場合には光量検出手段１１では正確に光量を検出することができなくなってしまう。この原因の１つとしては、例えば光量検出手段に含まれる積分回路の出力が飽和してしまうことが挙げられる。
【００７１】
そこで、第２実施形態では第１実施形態と異なり反射された光を光量検出手段１１に入射させることで、撮影光源１３の発光光量が強い場合でも精度よく光量を検出できる眼科装置を示す。具体的には、撮影光源１３から射出された光のうち所定の反射面で反射された光を光量検出手段１１で受光する。反射された光を受光するため直接強い光を受光する場合に比べて精度よく発光光量を検出可能となる。
【００７２】
図６は第２実施形態に係る眼科装置の構成の一例を模式的に示す図である。なお、図中既述の符号と同一の符号は同一もしくは略同一の部分を示しているので、その説明は省略する。
【００７３】
図６からわかるように第２実施形態では第１実施形態と異なり光束制限手段１２１および光束制限手段１２２を備えている。光束制限手段１２１はミラー１２の透過部１２ｃを透過した光束のうち例えば直接光の光量検出手段１１への入射を制限する。また光束制限手段１２２は光束制限手段１２１を通過した光のうち例えば光量検出手段１１の周囲に設けられた内壁等により反射された光である乱反射光の原因となる光の光量検出手段１１側への進行を制限する。光束制限手段１２１および光束制限手段１２２の詳細については図９を用いて後述する。
【００７４】
図７はリングスリット１５の一例を模式的に示す図である。リングスリット１５は、撮影光源の光束を環状に投光させる環状投光部１５ａ、環状投光部１５ａの外側の大きさを制約する環状遮光部１５ｂ、環状投光部の内側の大きさを制約する円状遮光部１５ｃを備える。望ましくは円状遮光部１５ｃの中心は撮影光源１３の光軸上に位置する。ここで、円状遮光部１５ｃは、自身に入射した光を反射する円状反射部としても機能する。リングスリット１５は例えばステンレス等で構成される。なお、円状遮光部１５ｃが自身に入射した光を反射するように構成すれば良く、リングスリット１５はステンレス等に限定されるものではない。上述したように、リングスリット１５は、被検眼２８の前眼部と略共役な位置に配置されるとともに、光源で生成された光の一部を反射する反射部を光学系の光軸上に有する。
【００７５】
従って、撮影光源１３からリングスリット１５へ射出された光束の一部は環状投光部１５ａを介して撮影水晶体バッフル１６へと進む一方、撮影光源１３からリングスリット１５へ射出された光束の他の一部は円状遮光部１５ｃにより反射される。円状遮光部１５ｃにより反射された光は光量検出手段１１に導かれる。すなわち、円状遮光部１５ｃは光源で発生した光を光量検出部へ導く第２反射部の一例に相当する。また、上述のごとく第２反射部（円状遮光部１５ｃ）は光学系の光軸上かつ光源から被検眼２８へ向かう方向に配置される。従って、リングスリット１５は第２反射部を光学系の光軸上に有する。すなわち、リングスリット１５は被検眼の前眼部と略共役な位置に配置されるとともに、光源で生成された光の一部を反射する第２反射部を光学系の光軸上に有する。
【００７６】
なお、リングスリット１５が備える円状遮光部１５ｃの反射率および表面形状等は制御されており、例えば円状遮光部１５ｃの反射面において反射率は均一もしくは略均一となっている。すなわち、円状遮光部１５ｃの反射率は既知である。
【００７７】
図８，９は本眼科装置が備える光束制限手段の一例を説明するための図である。図８には光量検出手段１１，光束制限手段１２１，１２２，ミラー１２，撮影光源１３およびリングスリット１３が備える円状遮光部１５ｃを図示している。なお、簡単のためコンデンサレンズ１４の図示は省略している。図９は図８の断面を示した図である。図９に示すように、ミラー１２には上述のごとき透過部１２ｃが備えられ、光束制限手段１２１，１２２にはそれぞれ開口部１２１ａ，１２２ａが備えられている。開口部１２１ａ，１２２ａはそれぞれ円状遮光部１５ｃで反射された光を通すように配置される。望ましくは、開口部１２１ａ，１２２ａはそれぞれ撮影光源１３の光軸上に配置される。ここで、開口部１２１ａは光が通過可能な第１開口部の一例に相当する。また、開口部１２２ａは光が通過可能な第２開口部の一例に相当する。
【００７８】
ここで、光束制限手段１２１は、ミラー１２の透過部１２ｃを透過した光のうち撮影光源から直接光量検出手段１１に入射しようとする直接光の光量検出手段１１への入射を制限する。従って、例えば、撮影光源１３の発光部と光量検出手段１１とを結ぶ直線上に光束制限手段１２１を構成する遮光部材１２１ｂが位置するように光束制限手段１２１は配置される。すなわち、光束制限手段１２１は、光源の発光部位と光量検出部とを結ぶ直線上に配置される第１制限部の一例に相当する。
【００７９】
光束制限手段１２２は、光束制限手段１２１の開口部１２１ａを通過した光のうち例えば光量検出手段１１の周囲に設けられた不均一な反射特性を持った内壁（図９中一点鎖線で示す。）等により反射された光である乱反射光の原因となる光の光量検出手段１１側への進行を制限する。言い換えれば、光束制限手段１２２は乱反射光の光量検出手段１１への入射を制限する。従って、例えば、撮影光源１３の発光部と光量検出手段１１の周囲に設けられた内壁とを結ぶ直線上に光束制限手段１２２を構成する遮光部材１２２ｂが位置するように光束制限手段１２２は配置される。言い換えれば、撮影光源１３の発光部から光量検出手段１１側へ射出した光のうち透過部１２ｃおよび開口部１２１ａを通過した光の進行を阻止する位置に遮光部材１２２ｂを配置する。すなわち、光束制限手段１２２は第１開口部を通過した光のうち少なくとも第２反射部に反射された光以外の光の光量検出部への入射を制限するとともに光軸上に光が通過可能な第２開口部を有する第２制限部の一例に相当する。
【００８０】
また、光束制限手段１２１，１２２は、撮影光源１３から射出され、撮影光源１３の周囲に設けられた内壁により反射された乱反射光の光量検出手段１１への入射も制限している。
【００８１】
このように、光束制限手段１２１および光束制限手段１２２が配置されることで、光量検出手段１１へ撮影光源１３からの直接光の入射および内壁による乱反射光の入射が制限される。
【００８２】
以下、具体的に撮影光源１３から発光された光の挙動を図１０を参照しながら説明する。
【００８３】
まず撮影光源１３から光束が射出される。撮影光源１３から射出された光束のうち、円状遮光部１５ｃによって反射された光束は図１０に示すように撮影光源１３の隙間を通りミラー１２に到達する。好ましくはミラー１２が備える透過部１２ｃの中心は撮影光源１３の光軸上に位置しているため、円状遮光部１５ｃによって反射された光束のうち光軸付近の光束は透過部１２ｃを透過する。すなわち、透過部１２ｃは、第１反射部の一部に備えられるとともに光学系の光軸上に配置される。そして、光束制限手段１２１および光束制限手段１２２はそれぞれ撮影光源１３の光軸付近に開口部１２１ａ，１２２ａを有するため、これらの開口部１２１ａ，１２２ａを介して、円状遮光部１５ｃによって反射された光束は光量検出手段１１に入射する。すなわち、光量検出部は、第２反射部によって反射され、かつ、透過部を透過した光の光量を検出する。また、被検眼方向に射出された光のうち、環状投光部１５ａに向かう光は、環状投光部１５ａを通過して被検眼２８に向かい進む。
【００８４】
次に、反被検眼方向に射出された光について説明する。反被検眼方向に射出された光のうち光量検出手段１１に直接入射しようとする直接光は上述のごとく光束検出手段１２１により光量検出手段１１への入射が制限される。なお、図１０からも明らかなようにミラー１２の反射部１２ａ，１２ｂも直接光の光量検出手段１１への入射を制限している。また、ミラー１２の反射部１２ａ，１２ｂは乱反射光の光量検出手段１１への入射も制限していることは明らかである。
【００８５】
一方、図１０に示すように光束制限手段１２１により撮影光源１３から光量検出手段１１に直接入射する光束の光量検出手段１１への入射は制限される。また、反被検眼方向に射出された光のうち乱反射光の原因となる光は、ミラー１２の反射部１２ａ，１２ｂおよび光束検出手段１２１により光量検出手段１１側への進行が阻止される。さらに、図１０に示すように乱反射光の原因となる光のうち光束制限手段１２１の開口部１２１ａを通過した光は光束制限手段１２２により光量検出手段１１側への進行が阻止される。すなわち、内壁による乱反射光の原因となる撮影光源１３から射出された光束の光量検出手段１１への入射は光束制限手段１２２により制限される。
【００８６】
以上から、光量検出手段１１への直接光および乱反射光の入射が制限される一方、光量検出手段１１には円状遮光部１５ｃにより反射された光束、すなわち、光軸付近の光束が入射することとなる。また、光量検出手段１１には撮影光源１３からの直接光や内壁による乱反射光の入射は制限される。
【００８７】
従って、上記眼科装置によれば第１実施形態と同様の効果が得られる他、光量検出手段では所望の反射部材で反射された光を検出しているため光源の発光光量が大きい場合でも光量検出手段は発光光量を精度よく計測を行うことができる。この効果が得られる一つの要因は反射率に応じて光量が低下するためである。
【００８８】
さらに、本実施形態に係る眼科装置によれば、リングスリット１５の円状遮光部１５ｃを反射部材として利用しているため、現状の構成を利用し新たに反射部材を設ける必要がなく装置の大型化を防止できる。
【００８９】
また、本実施形態に係る眼科装置によれば、円状遮光部１５ｃの反射面の反射率が均一かつ既知である。従って既知の均一な性質の光が光量検出手段１１で検出されるため、安定した発光光量の計測を行うことができる。
【００９０】
また、リングスリット１５の円状遮光部１５ｃは被検眼２８を照明する光が通過する環状投光部１５ａに近いため、円状遮光部１５ｃで反射された光は被検眼２８を照明する光に対してバラつきが少ない。
【００９１】
さらに、本実施形態に係る眼科装置によれば、光量検出手段への直接光の入射を制限しているため光量検出手段は発光光量を精度よく計測を行うことができる。
【００９２】
また、本実施形態に係る眼科装置によれば、光量検出手段への乱反射光の入射を制限しているため光量検出手段は発光光量を精度よく安定して計測を行うことができる。
【００９３】
さらに、本実施例に係る眼科装置によれば、光量検出手段は精度よく光源の発光光量を計測できるため、発光光量を正確に制御することができる。
【００９４】
なお、上述の実施の形態では光束制限手段１２１および光束制限手段１２２をそなえることとしたがこれに限定されるものではない。例えば、乱反射光の光量検出手段１１への入射を許容するのであれば光束制限手段１２２を設けなくともよい。
【００９５】
また、光束制限手段は光束制限手段１２１および光束制限手段１２２に限定されるものではなく、他の形状の光束制限手段を用いることとしてもよい。
【００９６】
例えば、図９，１０に示した光束制限手段１２２の開口部１２２ａの形状は図９，１０に示したものに限定されるものではなく、図１１，１２に示すようにお椀形状にしてもよい。
【００９７】
図１１，１２に示す開口部１２２ａは光量検出手段に近づく程、開口部１２２ａが小さくなるように形成されている。
【００９８】
開口部１２２ａをお椀形状にすることで得られる効果を図１３Ａ、１３Ｂを用いて説明する。まず図１３Ａに示すように開口部１２２ａが筒状の場合には遮光部１２２ｂに反射される光の入射度角と反射角度は等しくなる。一方、図１３Ｂに示すように開口部１２２ａがお椀形状の場合には遮光部１２２ｂに反射される光の入射角度は反射角度よりも大きくなる。なお、図１３Ｂの入射角度および反射角度とは、図１３Ａの場合と比較するため図中の点線に対するものを指している。
【００９９】
従って、開口部１２２ａが筒形状の場合だと開口部１２２ａ内に入ってきた光が例えば１回反射して光量検出手段１１に到達してしまうが、開口部１２２ａがお椀形状の場合には入射角度より反射角度が小さくなるため、光量検出手段１１へ入射しにくくなる。従って、お椀状の開口部１２２ａで反射された光が例え光量検出手段１１に光が到達したとしても反射を繰り返すことで弱い光となり発光光量の計測に対する影響は軽減される。
【０１００】
次に第３実施形態に係る眼科装置を、図面を参照しながら説明する。
【０１０１】
図１４に第３実施形態に係る眼科装置がそなえる光量検出手段１１，ミラー１２´，光源１３および円状遮光部１５ｃを示す。
【０１０２】
第３実施形態に係る眼科装置は第２実施形態と異なり光束制限手段１２１，１２２を備えていない。また第３実施形態に係る眼科装置には第２実施形態と異なる形状のミラー１２´を備えている。
【０１０３】
ミラー１２´は第１実施形態に係るミラー１２より透過部１２ｃが小さく光軸方向に厚みを有している。なお、ミラー１２´はミラー１２と同様に反射部１２ａ，１２ｂおよび透過部１２ｃ，１２ｄ，１２ｅを備える。なお、ミラー１２´においても透過部１２ｄ，１２ｅを備えてないこととしてもよい。
【０１０４】
図１４に示すように透過部１２ｃを小さく且つ撮影光源１３の光軸方向に長くすることにより、直接光および乱反射光の光量検出手段１１への入射を制限している。
【０１０５】
透過部１２ｃの大きさは直接光が光量検出手段１１に入らないように設計する。例えば、撮影光源１３の発光部位と光量検出手段１１とを結ぶ直線が透過部１２ｃに内包されないように透過部１２ｃの大きさを決定する。また、透過部１２ｃの光軸方向における長さは、撮影光源１３から射手された光のうち透過部１２ｃを介して光量検出手段１１側へ向かう光が透過部１２ｃの経路から外れるように決定する。この長さは、例えば、撮影光源１３とミラー１２´との距離に基づいて決定される。
【０１０６】
図１５は撮影光源１３から射出された光の挙動を説明するための図である。図１５に示すように、ミラー１２´の透過部１２ｃは第１実施形態におけるミラー１２の透過部よりも小さいため撮影光源１３から光量検出手段１１へ直接入射しようとする直接光は透過部１２ｃを通過することができない。また、乱反射光の原因となる撮影光源１３から光量検出手段１１側へ向かう光は、透過部１２ｃに入射したとしても光軸に対して角度を有しているため透過部１２ｃの経路から外れてしまう。
【０１０７】
一方、撮影光源１３から被検眼方向へ射出され円状遮光部１５ｃによって反射された光は、撮影光源１３の光軸上に配置された光透過部１２ｃを通過して光量検出手段１１に入射する。
【０１０８】
本第３実施形態によれば第２実施形態と同様の効果が得られる他、部材の数を削減することができる。
【０１０９】
なお、上記実施形態ではミラー１２の形状を変更してミラー１２´とした場合について説明したがこれに限定されるものではなく、光束制限手段１２１，１２２のいずれかを上記ミラー１２´と同様の形状とすることとしても良い。
【０１１０】
第４実施形態に係る眼科装置を、図面を参照しながら説明する。図１６は本眼科装置の光源部Ｏ１の構成の一例の断面を模式的に示す図である。図１６に第４施形態に係る眼科装置がそなえる光量検出手段１１，光束制限手段１２１，１２２，光源１３および円状遮光部１５ｃを示す。
【０１１１】
第４実施形態に係る眼科装置は第２実施形態と異なりミラー１２を備えていない。
【０１１２】
図１７は撮影光源１３から射出された光の挙動を説明するための図である。上述のごとく光束制限手段１２１は少なくとも直接光の光量検出手段１１への入射を制限する。また、光束制限手段１２２は、撮影光源１３から射出され開口部１２１ａを通過した光のうち少なくとも乱反射光の原因となる光の光量検出手段１１への入射を制限する。一方、撮影光源１３から被検眼方向へ射出され円状遮光部１５ｃによって反射された光は、撮影光源１３の光軸上に配置された光透過部１２ｃを通過して光量検出手段１１に入射する。
【０１１３】
従って、ミラー１２を設けないこととしても、光量検出手段１１への乱反射光および直接光の入手は制限される。
【０１１４】
すなわち、本第４実施形態に係る眼科装置によれば第２実施形態におけるミラー１２に起因する効果以外の効果を奏することができる。また、本第４実施形態に係る眼科装置によればミラーを用いないので部材の数を削減することができ、装置全体の小型化が可能である。
【０１１５】
第５実施形態に係る眼科装置を、図面を参照しながら説明する。図１８は本眼科装置の構成を模式的に示す図である。なお、図中既述の符号と同一の符号は同一もしくは略同一の部分を示しているので、その説明は省略する。
【０１１６】
第５実施形態は、第２実施形態と異なり反射板５１を備えている。反射板５１は例えば、リングスリット１５が備える円状遮光部１５ｃと同様または略同様の大きさであり、反射率および表面形状等は制御されており、例えば反射板５１の反射面における反射率は均一もしくは略均一である。すなわち、反射板５１の反射率は既知である。反射板５１は撮影光源１３から被検眼方向に射出された光を被検眼方向とは反対の方向に反射する。
【０１１７】
図１９には光量検出手段１１，光束制限手段１２１，１２２，ミラー１２，撮影光源１３および反射板５１を図示している図２０は図１９の断面を示す図である。さらに、図２０は撮影光源１３から射出された光の挙動を説明するための図である。図１８に示すように、光束制限手段１２１は少なくとも直接光の光量検出手段１１への入射を制限する。また、光束制限手段１２２は、撮影光源１３から射出され開口部１２１ａを通過した光のうち少なくとも乱反射光の原因となる光の光量検出手段１１への入射を制限する。一方、撮影光源１３から被検眼方向へ射出され反射板５１によって反射された光は、撮影光源１３の光軸上に配置された光透過部１２ｃを通過して光量検出手段１１に入射する。
【０１１８】
従って、円状遮光部１５ｃの代わりに反射板５１を設けることとしても、光量検出手段１１への乱反射光および直接光の入手は制限され、光量検出手段１１には反射板５１により反射された光が入射する。
【０１１９】
すなわち、本第５実施形態に係る眼科装置によれば第２実施形態における円状遮光部１５ｃに起因する効果以外の効果を奏することができる。また、本第５実施形態に係る眼科装置によればリングスリット１５を交換することなく反射板５１を交換するのみであり、容易に撮影光源１３からの光を反射する部材を交換することができる。
【０１２０】
また、図２１に示すようにミラー１２および光束制限手段１２２を設けないこととしてもよく、この場合、図２２に示すように光束制限手段１２１を設けることで少なくとも光量検出手段１１への直接光の入射は制限される。従って、光量が多い場合でも精度良く撮影光源の光量を計測することができる。
【０１２１】
また、図２１，２２に示す場合において、ミラー１２を設けることとしても良い。すなわち、光束制限手段１２１およびミラー１２を設けることで光量検出手段１１への直接光の入射が制限されるとともに、ミラー１２により撮影光源１３で発生した光のうち被検眼方向へ向かわない光を被検眼方向へ反射させることができる。
【０１２２】
第６実施形態に係る眼科装置を、図面を参照しながら説明する。図２３は本眼科装置の構成を模式的に示す図である。なお、図中既述の符号と同一の符号は同一もしくは略同一の部分を示しているので、その説明は省略する。
【０１２３】
第６実施形態に係る眼科装置は、第５実施形態と異なり反射板５１を撮影光源１３の光軸上に備えていない。また、第６実施形態に係る眼科装置は、第５実施形態とは異なり光束制限手段１２１，１２２を備えていない。また、第６実施形態に係る眼科装置は、第５実施形態におけるミラー１２とは異なり透過部１２ｃを備えないミラー１２´´を備える。さらに、第５実施形態における撮影光源１３とは異なる棒状の撮影光源１３´を用いている。なお、図２３に示すように光量検出手段１１は反射板５１からの反射光を受光すべく撮影光源１３の光軸に対して傾けて設けられている。なお、光量検出手段１１と反射板５１との位置関係は反射板５１にて反射された撮影光源１３からの光を光量検出手段１１が受光できるように決定される。
【０１２４】
図２４には光量検出手段１１，ミラー１２´´撮影光源１３´および反射板５１を示す図である。図２５は図２４の断面を示す図である。
【０１２５】
図２５に示すように、撮影光源１３´から射出された光のうち光量検出手段１１へ直接向かう直接光はミラー１２´´により光量検出手段１１への入射が制限される。すなわち、光量検出手段１１の方向に射出された光束は光束制限手段１２により遮光され、光量検出手段１１に至らない。一方、撮影光源１３から射出された光束の一部は、反射板５１で反射してから光量検出手段１１に至り、光量が検出される。この時、反射板５１からの反射光は、反射板５１の反射率が既知であるため既知の性質を持っている。このため、光量検出は、撮影光源１３からの直接光が含まれない既知の性質の光束で行われる為、安定した光量検出が行われる。この検出結果より、安定した調光が実現される。
【０１２６】
なお、撮影光源１３からの直接光の光量検出手段１１への入射を制限するのはミラー１２でなくてもよい。例えば、開口部１２１ａを有さない光束制限手段１２１等であってもよい。
【０１２７】
また、反射板５１の位置には図２３においてミラー１２の上方に設けることとしたが、これに限定されるものではない。例えば、図２３においてミラー１２の下方に反射板５１を設けることとしてもよい。
【０１２８】
第７実施形態に係る眼科装置を、図面を参照しながら説明する。なお、図中既述の符号と同一の符号は同一もしくは略同一の部分を示しているので、その説明は省略する。
【０１２９】
図２６は第７実施形態に係る眼科装置の構成の一例を模式的に示す図である。第７実施形態に係る眼科装置は第２実施形態に係る眼科装置とは異なり、ミラー１２に代えてミラー１０が備えられている。また、光量検出手段１１の位置が第２実施形態とは異なる。さらに光束制限手段１２１，１２２を備えておらず、光束制限手段１７０を備えている点が第２実施形態に係る眼科装置と異なっている。
【０１３０】
図２７は撮影光源部Ｏ１および観察光源部Ｏ２の詳細な構成を示す図である。
【０１３１】
ミラー１０は撮影光源部光軸上の撮影光源１３と撮影リングスリット１５の間に配置された例えばガラス板であり、ミラー１０のリングスリット側の面である面１０ａをアルミや銀で蒸着したものである。或いは、ミラー１０はアルミ板でも構わない。さらに、ミラー１２によって撮影光源部Ｏ１の光路とは別の光路が存在し、その光路に対して光量検出手段１１が対向して設けられている。
【０１３２】
また、光束制限手段１７０は例えば、撮影光源１３の発光部分と光量検出手段１１の受光部１１ａとを結ぶ直線上に配置されている。光束制限手段１７０は撮影光源１３から光量検出手段１１の受光部１１ａへ直接向かう直接光の光量検出手段１１への入射を制限している。
【０１３３】
次に、図２８を用いて撮影光源１３から射出された光の挙動を説明する。
【０１３４】
光束Ｌ０は、撮影光源１３の環状発光部１３ａから放射状に発光する光束の内、被検眼眼底へ向かう光束である。光束Ｌ０は、被検眼眼底に向けて集光すべく撮影コンデンサレンズ１４を通過したあと、被検眼２８の前眼部を通過する光束形状を環状とすべく環状投光部１５ａを通過した環状光束である。環状に形成された光束Ｌ０の径は環状投光部１５ａの大きさにより決定される。また光束Ｌ０の径は光線Ｌ１，Ｌ２により決定される。環状発光部１３ａから放射状に発光する光線の内、光線Ｌ１は環状発光部１３ａより撮影コンデンサレンズ１４を通過し、環状遮光部１５ｂにより制限され、被検眼２８の眼底へ向かうものである。また、環状発光部１３ａから放射状に発光する光線の内、光線Ｌ２は環状発光部１３ａより撮影コンデンサレンズ１４を通過し、円状遮光部１５ｃにより制限され、被検眼２８の眼底へ向かうものである。
【０１３５】
光線Ｌ３は、撮影光源１３の環状発光部１３ａから放射状に発光する光線の内、光量検出手段１１が有する受光部１１ａに投光される光線である。光線Ｌ３は、撮影コンデンサレンズ１４を通過したあと、撮影リングスリット１５の円状遮光部１５ｃで反射される。円状遮光部１５ｃからの反射光線はミラー１２が有する１２ａ面によって光量検出手段１１が位置する方向に折り返され、受光部１１ａへ投光する。
【０１３６】
光線Ｌ４は、撮影光源１３の環状発光部１３ａから放射状に発光する光線の内、ミラー１２で反射され、筐体１０１の内壁へ向かう光線である。
【０１３７】
また、撮影光源１３の環状発光部１３ａと受光部１１ａとを結ぶ直線上に配置された光束制限手段１７０によって、撮影光源１３から受光部１１ａに直接向かう光の受光部１１ａへの入射が制限される。
【０１３８】
従って、光量検出手段１１は、撮影光源１３の環状発光部１３ａから放射状に発光する光線の内光線Ｌ３で図示する光を検出しＣＰＵ６１で制限される発光量に到達するとＣＰＵ６１に発光停止を指示し、撮影光源制御回路６２を介して撮影光源１３の発光を停止させる。
【０１３９】
上述のごとく、光線Ｌ３は、環状発光部１３ａから放射状に発光する光線の内、撮影コンデンサレンズ１４を通過し円状遮光部１５ｃにおいて反射され、反射面１２ａにて受光部１１ａへ折り返される光線として経路が特定されている。このように、光量検出手段１１は、実際に被検眼２８を照明する光に近い位置の光に基づいて光量を検出する。
【０１４０】
このように本実施形態に係る眼科装置によれば、光量検出手段では所望の反射部材で反射された光を検出しているため光源の発光光量が大きい場合でも光量検出手段は発光光量を精度よく計測を行うことができる。この効果が得られる一つの要因は反射率に応じて光量が低下するためである。
【０１４１】
さらに、本実施形態に係る眼科装置によれば、リングスリット１５の円状遮光部１５ｃを反射部材として利用しているため、現状の構成を利用し新たに反射部材を設ける必要がなく装置の大型化を防止できる。
【０１４２】
また、本実施形態に係る眼科装置によれば、円状遮光部１５ｃの反射面の反射率が均一かつ既知である。従って既知の均一な性質の光が光量検出手段１１で検出されるため、安定した発光光量の計測を行うことができる。
【０１４３】
さらに、本実施形態に係る眼科装置によれば被検眼２８を照射する光である環状投光部１５ａを通過する光に近い位置の光の反射光を光量検出手段１１で検出している。また、光源からの光量は発光部位や発光方向によるバラつきを有している。従って、実際に被検眼２８を照明する光に近い位置の光に基づいて光量を検出する本実施形態に係る眼科装置によれば発光光量の検出において上記バラつきの影響を低減することができる。すなわち、本実施形態に係る眼科装置によれば発光光量を精度良く検出することができる。
【０１４４】
また、リングスリット１５の円状遮光部１５ｃは被検眼２８を照明する光が通過する環状投光部１５ａに近いため、円状遮光部１５ｃで反射された光は被検眼２８を照明する光に対してバラつきが少ない。
【０１４５】
さらに、本実施形態に係る眼科装置によれば、光量検出手段への直接光の入射を制限しているため光量検出手段は発光光量を精度よく計測を行うことができる。
【０１４６】
また、本実施形態に係る眼科装置によれば、光量検出手段への乱反射光の入射を制限しているため光量検出手段は発光光量を精度よく安定して計測を行うことができる。
【０１４７】
さらに、本実施例に係る眼科装置によれば、光量検出手段は精度よく光源の発光光量を計測できるため、発光光量を正確に制御することができる。
【０１４８】
また、光源は被検眼２８を照明するために最適化されているため、光源の光軸付近の光は光軸付近以外の光に比べて安定している。従って、本実施例に係る眼科装置によれば、反射された光源の光軸上付近の光を光量検出手段１１で計測しているため発光光量を精度良く検出することができる。
【０１４９】
なお、ミラー１０および光量検出手段１１の位置は上記実施形態に限定されるものではなく円状遮光部１５ｃによって反射される光を光量検出手段１１が受光できるような配置であればよく、種々変形することが可能である。
【０１５０】
第８実施形態に係る眼科装置を、図面を参照しながら説明する。なお、図中既述の符号と同一の符号は同一もしくは略同一の部分を示しているので、その説明は省略する。
【０１５１】
図２９は第８実施形態に係る眼科装置の構成の一例を模式的に示す図である。第８実施形態に係る眼科装置は第２実施形態に係る眼科装置とは異なり、ミラー１２を備えていない。また、光量検出手段１１および光束制限手段１７０の位置が第６実施形態とは異なる。
【０１５２】
図３０は撮影光源部Ｏ１および観察光源部Ｏ２の詳細な構成を示す図である。
【０１５３】
光量検出手段１１が受光面をリングスリット１５側に向けて斜めに配置されている。また、光束制限手段１７０は例えば、撮影光源１３の発光部分と光量検出手段１１の受光部１１ａとを結ぶ直線上に配置されている。光束制限手段１７０は撮影光源１３から光量検出手段１１の受光部１１ａへ直接向かう直接光の光量検出手段１１への入射を制限している。
【０１５４】
次に、図３１を用いて撮影光源１３から射出された光の挙動を説明する。
【０１５５】
光束Ｌ１０は、撮影光源１３の環状発光部１３ａから放射状に発光する光束の内、被検眼眼底へ向かう光束である。光束Ｌ１０は、被検眼眼底に向けて集光すべく撮影コンデンサレンズ１４を通過したあと、被検眼前眼部を通過する光束形状を環状とすべく環状投光部１５ａを通過した環状光束である。環状に形成された光束Ｌ１０の径は環状投光部１５ａの大きさにより決定される。また光束Ｌ１０の径は光線Ｌ１１，Ｌ１２により決定される。環状発光部１３ａから放射状に発光する光線の内、光線Ｌ１１は、環状発光部１３ａより撮影コンデンサレンズ１４を通過し、環状遮光部１５ｂにより制限され、被検眼２８の眼底へ向かうものである。また、環状発光部１３ａから放射状に発光する光線の内、光線Ｌ１２は、環状発光部１３ａより撮影コンデンサレンズ１４を通過し、円状遮光部１５ｃにより制限され、被検眼２８の眼底へ向かうものである。
【０１５６】
光線Ｌ１３は、撮影光源１３の環状発光部１３ａから放射状に発光する光線の内、光量検出手段１１が有する受光部１１ａに投光される光線である。光線Ｌ１３は、撮影コンデンサレンズ１４を通過したあと、撮影リングスリット１５の円状遮光部１５ｃで反射される。円状遮光部１５ｃからの反射光線は受光部１１ａへ投光する。
【０１５７】
また、撮影光源１３の環状発光部１３ａと受光部１１ａとを結ぶ直線上に配置された光束制限手段１７０によって、撮影光源１３から受光部１１ａに直接向かう光の受光部１１ａへの入射が制限される。
【０１５８】
従って、光量検出手段１１は撮影光源１３の環状発光部１３ａから放射状に発光する光線の内光線Ｌ１３で図示する光を検出しＣＰＵ６１で制限される発光量に到達するとＣＰＵ６１に発光停止を指示し、撮影光源制御回路６２を介して撮影光源１３の発光を停止させる。
【０１５９】
上述のごとく、光線Ｌ１３は、環状発光部１３ａから放射状に発光する光線の内、撮影リングスリット１５を通過し円状遮光部１５ｃにおいて反射され、受光部１１ａへ折り返される光線として経路が特定されている。このように、光量検出手段１１は、実際に被検眼２８を照明する光に近い位置の光に基づいて光量を検出する。
【０１６０】
このように本実施形態に係る眼科装置によれば、第６実施形態と同様の効果を得ることができる。
【０１６１】
また、光量検出手段１１の位置は上記実施形態に限定されるものではなく円状遮光部１５ｃによって反射される光を光量検出手段１１が受光できるような配置であればよく、種々変形することが可能である。
【０１６２】
なお、上記実施形態においては光束制限手段１７０，１２１，１２２を設けることとしているがこれに限定されるものではない。例えば、光量検出手段１１を撮影光源１３から直接光が入射しない若しくは略入射しない位置に配置することとして、光束制限手段を設けないこととしてもよい。撮影光源１３から直接光が入射しない若しくは略入射しない位置としては、例えば、光量検出手段１１を撮影光源１３の真下に設け、受光部１１ａの受光面を撮影光源１３の光軸に対して直交する方向に設けることが考えられる。さらに、撮影光源１３から直接光が入射しない若しくは略入射しない位置としては、例えば、撮影光源１３の光軸上に光量検出手段を設け、受光部１１ａの受光面を撮影光源１３の光軸に対して直交する方向に設けることが考えられる。すなわち、上記実施形態において光束制限手段は必須のものではない。
【０１６３】
さらに、上記の実施形態では撮影光源１３の発光光量を検出しているが、これに限定されるものではない。例えば撮影光源１３ではなく観察光源１７の発光光量を計測することとしてもよい。また、上記実施の形態では眼科装置として眼底カメラについて記載したがこれに限定されるものではなく他の眼科計測装置に適用することとしても良い。
【０１６４】
〔その他〕
また、本件は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１６５】
なお本件は上記実施形態に限定されるものではなく、本件の趣旨を逸脱しない範囲内において、種々の変形、変更して実施することができる。
【０１６６】
例えば、上記実施の形態では眼科装置として眼底カメラについて記載したがこれに限定されるものではなく他の眼科計測装置に適用することとしても良い。
【符号の説明】
【０１６７】
Ｏ１  撮影光源部
Ｏ２  観察光源部
Ｏ３  照明光学系
Ｏ４  撮影／照明光学系
Ｏ５  撮影光学系
Ｏ６  内部固視灯部
１１  光量検出手段
１２  ミラー
１２ａ，１２ｂ  反射部
１２ｃ  透過部
１３  撮影光源
１４  撮影コンデンサレンズ
１５  撮影リングスリット
１５ａ  環状投光部
１５ｂ  環状遮光部
１５ｃ  円状遮光部
１６  撮影水晶体バッフル
１７  観察光源
２８  被検眼
１２１  光束制限手段
１２１ａ  開口部
１２１ｂ  遮光部
１２２  光束制限手段
１２２ａ  開口部
１２２ｂ  遮光部
【図１】
2013048896.tif 000003
【図２】
2013048896.tif 000004
【図３】
2013048896.tif 000005
【図４】
2013048896.tif 000006
【図５】
2013048896.tif 000007
【図６】
2013048896.tif 000008
【図７】
2013048896.tif 000009
【図８】
2013048896.tif 000010
【図９】
2013048896.tif 000011
【図１０】
2013048896.tif 000012
【図１１】
2013048896.tif 000013
【図１２】
2013048896.tif 000014
【図１３】
2013048896.tif 000015
【図１４】
2013048896.tif 000016
【図１５】
2013048896.tif 000017
【図１６】
2013048896.tif 000018
【図１７】
2013048896.tif 000019
【図１８】
2013048896.tif 000020
【図１９】
2013048896.tif 000021
【図２０】
2013048896.tif 000022
【図２１】
2013048896.tif 000023
【図２２】
2013048896.tif 000024
【図２３】
2013048896.tif 000025
【図２４】
2013048896.tif 000026
【図２５】
2013048896.tif 000027
【図２６】
2013048896.tif 000028
【図２７】
2013048896.tif 000029
【図２８】
2013048896.tif 000030
【図２９】
2013048896.tif 000031
【図３０】
2013048896.tif 000032
【図３１】
2013048896.tif 000033